【手続補正書】
【提出日】平成18年9月27日(2006.9.27)
【手続補正１】
【補正対象書類名】特許請求の範囲
【補正対象項目名】全文
【補正方法】変更
【補正の内容】
【特許請求の範囲】
【請求項１】
遊技機を包装するためのシステムであって、
前記遊技機の制御を行う部分の少なくとも一部を覆うように前記遊技機の外周に内包装用シートを略密着させて包装する内包装装置と、
前記内包装用シートが外周に包装された前記遊技機の全体を外包装用シートにより密封状に包装する外包装装置と、
少なくとも前記外包装装置によって前記遊技機全体に包装された前記外包装用シートに前記遊技機に関する情報を印刷する印刷手段と
を備えたことを特徴とする遊技機の包装システム。
【請求項２】
前記印刷手段は、
前記内包装装置によって前記遊技機の外周に包装された前記内包装用シートに前記遊技機に関する情報を印刷する第１印刷手段と、
前記外包装装置によって前記遊技機全体に包装された前記外包装用シートに前記遊技機に関する情報を印刷する第２印刷手段と、
を備えたことを特徴とする請求項１に記載の遊技機の包装システム。
【請求項３】
前記第１印刷装置は、前記内包装装置によって包装された内包装用シートに前記遊技機に関する第１の情報を印刷し、
前記第２印刷装置は、前記外包装装置によって包装された外包装用シートに前記第１の情報とは少なくとも一部が異なる第２の情報を印刷することを特徴とする請求項２に記載の遊技機の包装システム。
【請求項４】
前記第１の情報には、少なくとも前記遊技機を識別可能な識別情報が含まれ、
前記第２の情報には、少なくとも前記遊技機の納品先に関する情報が含まれていることを特徴とする請求項３に記載の遊技機の包装システム。
【請求項５】
前記第１の情報と前記第２の情報とは、少なくとも一部が共通していることを特徴とする請求項３又は４に記載の遊技機の包装システム。
【請求項６】
前記遊技機に付された当該遊技機を識別可能な情報を取得する識別情報取得手段を更に備え、
前記印刷手段は、前記識別情報取得手段によって取得された情報に基づいて前記遊技機に関する情報の印刷を行うことを特徴とする請求項１乃至５のいずれかに記載の遊技機の包装システム。
【請求項７】
前記外包装装置は、
前記遊技機の下方に二つ折りの外包装用シートを展開状に通過させつつ両側縁を上方として繰り出すシート展開供給手段と、
そのシート展開供給手段によって繰り出された前記外包装用シートの前記遊技機前方側及び後方側にて縦方向に熱溶着及び切断を施す縦方向熱溶着切断手段と、
その縦方向熱溶着切断手段により分離形成されて前記遊技機を収容する前記外包装用シートからなる袋の開口部を熱溶着する袋口熱溶着手段と、
を備えたことを特徴とする請求項１乃至６のいずれかに記載の遊技機の包装システム。
【手続補正２】
【補正対象書類名】明細書
【補正対象項目名】０００６
【補正方法】変更
【補正の内容】
【０００６】
以下、上記課題を解決するのに適した各手段につき、必要に応じて作用効果等を付記しつつ説明する。
１．遊技機を包装するためのシステムであって、
前記遊技機の制御を行う部分の少なくとも一部を覆うように前記遊技機の外周に内包装用シートを略密着させて包装する内包装装置と、
前記内包装用シートが外周に包装された前記遊技機の全体を外包装用シートにより密封状に包装する外包装装置と、
少なくとも前記外包装装置によって前記遊技機全体に包装された前記外包装用シートに前記遊技機に関する情報を印刷する印刷手段と
を備えたことを特徴とする遊技機の包装システム。
【手続補正３】
【補正対象書類名】明細書
【補正対象項目名】０００７
【補正方法】変更
【補正の内容】
【０００７】
手段１によれば、内包装装置により、遊技機の制御を行う部分の少なくとも一部を覆うように遊技機の外周に内包装用シートを略密着させて包装し、さらに、外包装装置により、内包装用シートが外周に包装された遊技機の全体を外包装用シートにより密封状に包装すると共に、印刷手段により、少なくとも外包装装置によって遊技機全体に包装された外包装用シートに遊技機に関する情報を印刷する。つまり、手段１により、遊技機に対して内包装用シートによる包装を施す工程と、外包装用シートによる包装を施す工程とを自動的且つ連続的に実施し、さらに、外包装用シートに遊技機に関する情報を印刷することができる。
【手続補正４】
【補正対象書類名】明細書
【補正対象項目名】０００８
【補正方法】変更
【補正の内容】
【０００８】
そして、手段１によって包装された遊技機は、内包装用シートと外包装用シートとにより二重包装が施されているため、不正改造の発見をより確実にすると共に、不正改造の未然防止を図ることができる。すなわち、メイン基板等の遊技機の制御を行う部分に不正改造を行うためには、まず外包装用シートを切断・開封し、さらに、内包装用シートを切断・開封する必要がある。このため、不正な改造が行われた場合には外包装用シート及び内包装用シートが開封されていることから、不正改造を確実に感知することができる。また、内包装用シートを一旦、切断・開封してから、遊技機の制御を行う部分の少なくとも一部を覆うように遊技機の外周に略密着させて再度包装して元通りの状態に戻すことは極めて困難であり、さらに、遊技機全体が外包装用シートによって密封されることによって埃等の付着が防止されるだけでなく、内包装用シートによる包装状態も確実に保持されるため、不正改造を行った者によって再度包装が行われた場合には確実にこれを感知することができる。さらに、遊技機に対して内包装用シート及び外包装用シートによって従来よりも厳重な二重包装が施されていることから、不正改造を試みようとする者の意欲を減退させて、不正改造を未然に防止する効果が発揮されることも期待される。また、印刷手段により、遊技機を包装する外包装用シートに遊技機に関する情報が印刷されるので、大量生産される遊技機において、出荷、納品、ホールへの設置作業等の際に内包装用シート及び外包装用シートを開封することなく遊技機に関する情報を視認することができる。また、外包装用シートに遊技機に関する情報が印刷されることにより包装用シートの偽造困難性が高められ、不正改造の発見がより確実になると共に、不正改造の未然防止効果の向上を図ることができる。尚、遊技機に関する情報として、例えば、遊技機の管理番号や納品先に関する情報を印刷するように構成してもよい（以下の各手段においても同様）。
【手続補正５】
【補正対象書類名】明細書
【補正対象項目名】０００９
【補正方法】変更
【補正の内容】
【０００９】
２．前記印刷手段は、
前記内包装装置によって前記遊技機の外周に包装された前記内包装用シートに前記遊技機に関する情報を印刷する第１印刷手段と、
前記外包装装置によって前記遊技機全体に包装された前記外包装用シートに前記遊技機に関する情報を印刷する第２印刷手段と、
を備えたことを特徴とする手段１に記載の遊技機の包装システム。
手段２によれば、第１印刷手段により、遊技機を包装する内包装用シートに遊技機に関する情報が印刷され、更に、第２印刷手段により、遊技機を包装する外包装用シートに遊技機に関する情報が印刷されるので、各包装用シートの偽造困難性が高められ、不正改造の発見がより確実になると共に、不正改造の未然防止効果の向上を図ることができる。また、内包装用シート及び外包装用シートにそれぞれ遊技機に関する情報が印刷されているので、出荷、納品、ホールへの設置作業等の際に容易に情報を視認することができる。
【手続補正６】
【補正対象書類名】明細書
【補正対象項目名】００１０
【補正方法】変更
【補正の内容】
【００１０】
３．前記第１印刷装置は、前記内包装装置によって包装された内包装用シートに前記遊技機に関する第１の情報を印刷し、
前記第２印刷装置は、前記外包装装置によって包装された外包装用シートに前記第１の情報とは少なくとも一部が異なる第２の情報を印刷することを特徴とする手段２に記載の遊技機の包装システム。
手段３によれば、内包装装置によって包装された内包装用シートには、遊技機に関する第１の情報が印刷され、外包装装置によって包装された外包装用シートには、第１の情報とは少なくとも一部が異なる第２の情報が印刷されるので、それぞれの包装用シートの用途に応じて異なる情報の印刷を行うことができる。
【手続補正７】
【補正対象書類名】明細書
【補正対象項目名】００１１
【補正方法】変更
【補正の内容】
【００１１】
４．前記第１の情報には、少なくとも前記遊技機を識別可能な識別情報が含まれ、
前記第２の情報には、少なくとも前記遊技機の納品先に関する情報が含まれていることを特徴とする手段３に記載の遊技機の包装システム。
手段４によれば、内包装用シートには少なくとも遊技機を識別可能な識別情報が含まれた第１の情報が印刷されているので、内包装用シートが包装された状態で遊技機を識別できると共に、内包装用シートが当該遊技機に固有のものとなり、包装用シートの偽造防止を図ることができる。また、外包装用シートには少なくとも遊技機の納品先に関する情報が含まれた第２の情報が印刷されているので、外包装用シートを視認することにより納品先に関する情報（例えば、納品先名や納品先住所等）を知ることができる。
【手続補正８】
【補正対象書類名】明細書
【補正対象項目名】００１２
【補正方法】変更
【補正の内容】
【００１２】
５．前記第１の情報と前記第２の情報とは、少なくとも一部が共通していることを特徴とする手段３又は４に記載の遊技機の包装システム。
手段５によれば、内包装用シートに印刷される第１の情報と外包装用シートに印刷される第２の情報とは、少なくとも一部が共通しているので、内包装用シートと外包装用シートとが正しい組合わせで包装されていることを確認することができる。従って、例えば、何らかの理由により包装ラインが一旦停止し、その後、稼働が再開された場合にも内包装用シートと外包装用シートとの組合わせが正しいか否かを確認することができる。尚、第１の情報と第２の情報との共通の情報としては、台数管理情報（例えば、遊技機の納品総数と当該遊技機の通し番号）等を用いることができる。
【手続補正９】
【補正対象書類名】明細書
【補正対象項目名】００１３
【補正方法】変更
【補正の内容】
【００１３】
６．前記遊技機に付された当該遊技機を識別可能な情報を取得する識別情報取得手段を更に備え、
前記印刷手段は、前記識別情報取得手段によって取得された情報に基づいて前記遊技機に関する情報の印刷を行うことを特徴とする手段１乃至５のいずれかに記載の遊技機の包装システム。
手段６によれば、識別情報取得手段が、遊技機に付された当該遊技機を識別可能な情報を正確且つ迅速に取得し、印刷手段は、識別情報取得手段によって取得された情報に基づいて遊技機に関する情報の印刷を行うので、作業者が遊技機に貼り付けられた証紙を視認して識別情報としての管理番号を端末に入力する等の手作業を省くことができる。
【手続補正１０】
【補正対象書類名】明細書
【補正対象項目名】００１４
【補正方法】変更
【補正の内容】
【００１４】
７．前記外包装装置は、
前記遊技機の下方に二つ折りの外包装用シートを展開状に通過させつつ両側縁を上方として繰り出すシート展開供給手段と、
そのシート展開供給手段によって繰り出された前記外包装用シートの前記遊技機前方側及び後方側にて縦方向に熱溶着及び切断を施す縦方向熱溶着切断手段と、
その縦方向熱溶着切断手段により分離形成されて前記遊技機を収容する前記外包装用シートからなる袋の開口部を熱溶着する袋口熱溶着手段と、
を備えたことを特徴とする手段１乃至６のいずれかに記載の遊技機の包装システム。
手段７によれば、外包装装置において、シート展開供給手段が、遊技機の下方に二つ折りの外包装用シートを展開状に通過させつつ両側縁を上方として繰り出し、縦方向熱溶着切断手段が、シート展開供給手段によって繰り出された包装用シートの遊技機前方側及び後方側にて縦方向に熱溶着及び切断を施し、袋口熱溶着手段が、縦方向熱溶着切断手段により分離形成されて遊技機を収容する外包装用シートからなる袋の開口部を熱溶着する。よって、袋を形成する外包装用シートの供給から、内包装用シートが外周に包装された遊技機の全体を外包装用シートにより密封状に包装するまでの一連の工程を自動化することができる。
【手続補正１１】
【補正対象書類名】明細書
【補正対象項目名】００１５
【補正方法】変更
【補正の内容】
【００１５】
８．前記外包装用シートは、透明又は半透明のシートであることを特徴とする手段１乃至７のいずれかに記載の遊技機の包装システム。
手段８によれば、内包装用シートの遊技機外周への包装状態を、透明又は半透明の外包装用シートを通して容易に視認することができるので、不正改造を容易に感知することができると共に、不正改造の困難性を認識させて不正改造の未然防止を図ることができる。
【手続補正１２】
【補正対象書類名】明細書
【補正対象項目名】００１６
【補正方法】変更
【補正の内容】
【００１６】
９．前記内包装用シートは着色されたシートであり、且つ前記外包装用シートは略無色又は前記内包装用シートとは異なる色に着色された透明又は半透明のシートであることを特徴とする手段８に記載の遊技機の包装システム。
手段９によれば、着色された内包装用シートの遊技機外周への包装状態を、略無色又は内包装用シートとは異なる色に着色された透明又は半透明の外包装用シートを通して容易に視認することができるので、不正改造を容易に感知することができると共に、不正改造の困難性を認識させて不正改造の未然防止を図ることができる。さらに、所定の色に着色された包装用シートの入手困難性により、不正改造後に再包装を行うことの困難性がより一層高められる。
【手続補正１３】
【補正対象書類名】明細書
【補正対象項目名】００１７
【補正方法】変更
【補正の内容】
【００１７】
１０．前記内包装用シートは、透明又は半透明のシートであることを特徴とする手段８又は９に記載の遊技機の包装システム。
手段１０によれば、内包装用シート及び外包装用シートが共に透明又は半透明であるので、二重に包装が施された遊技機の状態を容易に視認することができ、不正改造を容易に感知することができる。
【手続補正１４】
【補正対象書類名】明細書
【補正対象項目名】００４７
【補正方法】削除
【補正の内容】
【手続補正１５】
【補正対象書類名】明細書
【補正対象項目名】００４８
【補正方法】変更
【補正の内容】
【００４８】
本発明によれば、遊技機に対して内包装用シートによる包装を施す工程と、外包装用シートによる包装を施す工程とを自動的且つ連続的に実施し、さらに、外包装用シートに遊技機に関する情報を印刷することができる。そして、手段１によって包装された遊技機は、内包装用シートと外包装用シートとにより二重包装が施されているため、不正改造の発見をより確実にすると共に、不正改造の未然防止を図ることができる。すなわち、メイン基板等の遊技機の制御を行う部分に不正改造を行うためには、まず外包装用シートを切断・開封し、さらに、内包装用シートを切断・開封する必要がある。このため、不正な改造が行われた場合には外包装用シート及び内包装用シートが開封されていることから、不正改造を確実に感知することができる。また、内包装用シートを一旦、切断・開封してから、遊技機の制御を行う部分の少なくとも一部を覆うように遊技機の外周に略密着させて再度包装して元通りの状態に戻すことは極めて困難であり、さらに、遊技機全体が外包装用シートによって密封されることによって埃等の付着が防止されるだけでなく、内包装用シートによる包装状態も確実に保持されるため、不正改造を行った者によって再度包装が行われた場合には確実にこれを感知することができる。さらに、遊技機に対して内包装用シート及び外包装用シートによって従来よりも厳重な二重包装が施されていることから、不正改造を試みようとする者の意欲を減退させて、不正改造を未然に防止する効果が発揮されることも期待される。また、印刷手段により、遊技機を包装する外包装用シートに遊技機に関する情報が印刷されるので、大量生産される遊技機において、出荷、納品、ホールへの設置作業等の際に内包装用シート及び外包装用シートを開封することなく遊技機に関する情報を視認することができる。また、外包装用シートに遊技機に関する情報が印刷されることにより包装用シートの偽造困難性が高められ、不正改造の発見がより確実になると共に、不正改造の未然防止効果の向上を図ることができる。